(57)【要約】【課題】外力による操作つまみの本体からの離脱を確実に防止することができるスイッチ装置の提供。【解決手段】操作つまみ１と一体に設けられ、一方の側縁部に軸部２ｄを有する回動体２と、この回動体２が取り付けられるケース３と、操作つまみ１の押圧操作により作動するタクトスッチ４ａと、軸部２ｄが位置する回動体２の一方の側縁部の近傍に設けられ、第１フック部２ｂと第１貫通孔３ｂとから成り、回動体２のケース３からの離脱を規制する係止手段とを備えている。そして特に、回動体２の他方の側縁部の近傍に、第２フック部２ｃと第２貫通孔３ｃとから成り、回動体２のケース３からの離脱を規制する別の係止手段を備えている。【選択図】      図２
2004221011.tif 000002
【特許請求の範囲】
【請求項１】
操作つまみと、この操作つまみと一体に設けられ、一方の側縁部に回動支点部を有する回動体と、この回動体が取り付けられる本体と、上記操作つまみの押圧操作により作動するスイッチ部と、上記回動支点部が位置する上記回動体の上記一方の側縁部の近傍に設けられ、上記回動体の上記本体からの離脱を規制する係止手段とを備えるとともに、
上記回動体の他方の側縁部の近傍に、上記回動体の上記本体からの離脱を規制する別の係止手段を備えたことを特徴とするスイッチ装置。
【請求項２】
上記請求項１記載の発明において、
上記係止手段が、上記回動体に設けられ、上記本体と係合可能な第１フック部と、上記本体に設けられ、上記操作つまみの押圧操作に伴う上記第１フック部の移動を許容させる第１貫通孔とから成り、
上記別の係止手段が、上記回動体に設けられ、上記本体と係合可能な第２フック部と、上記本体に設けられ、上記操作つまみの押圧操作に伴う上記第２フック部の移動を許容させる第２貫通孔とから成ることを特徴とするスイッチ装置。
【請求項３】
上記請求項２記載の発明において、
上記回動支点部が軸部から成るとともに、
上記本体に上記軸部の凸形状の端部を支持する凹形状の軸受を設けたことを特徴とするスイッチ装置。
【請求項４】
上記請求項３記載の発明において、
上記軸部の上記凸形状の端部が球面形状から成るとともに、
上記軸受の上記凹形状が円弧形状から成ることを特徴とするスイッチ装置。
【請求項５】
上記請求項４記載の発明において、
上記軸部を上記軸受に押圧させる手段を設けたことを特徴とするスイッチ装置。
【請求項６】
上記請求項５記載の発明において、
上記押圧させる手段が、上記本体の上記所定の面に係合する上記第１フック部の段部と、上記軸部の上記端部との距離を、上記第１フック部の上記段部が係合する上記本体の上記所定の面と、上記軸受の上記円弧形状部分の底部との距離に比べて小さく設定する手段から成ることを特徴とするスイッチ装置。
【発明の詳細な説明】
【０００１】
【発明の属する技術分野】
本発明は、操作つまみの回動に伴ってスイッチ部を作動させるスイッチ装置に関する。
【０００２】
【従来の技術】
この種の従来技術として、操作つまみを形成する操作ノブを回動体に形成して本体を形成するパネルに取り付けるとともに、操作つまみの下側の一方の側縁部に回動支点部を設け、この操作つまみの押圧操作による回動に伴って作動するスイッチ部、例えばタクトスイッチを設けたものがある。上述の回動支点部は、端部が凸球面形状から成る軸部によって形成され、その軸部を支持する軸受が凹形状に形成されている。
【０００３】
また、この従来技術は上述した回動支点部の近傍に、操作つまみの本体からの離脱を規制する係止手段を備えている。この係止手段は、回動支点部の近傍に位置する操作つまみの下側部分に設けられ、空間を有するアーム部と、上述の本体に設けられ、アーム部の空間に相対的に移動可能に収容される抜け止めガイド部とから成っている。
【０００４】
このように構成される従来技術では、操作つまみを押圧すると、操作つまみが回動支点部を中心に回動してタクトスイッチをＯＮにし、操作つまみに加えていた押圧力を除くと、タクトスイッチはＯＦＦとなるように作動する（例えば、特許文献１参照。）。
【０００５】
【特許文献１】
特開２００１−１４９７８公報
（段落番号００１２〜００２０、図１，２）
【０００６】
【発明が解決しようとする課題】
上述した従来技術は、操作つまみを本体を形成するパネルから離脱させようとする外力が、回動支点部が位置する操作つまみの一方の側縁部付近に加えられたときには、上述の係止手段によりその離脱が規制される。
【０００７】
しかし、上述した離脱させようとする外力が、回動支点部から離れた操作つまみの他方の側縁部付近に加えられたときには、回動支点部に、すなわち上述の係止手段に、大きなモーメントが作用する。このために、係止手段による規制に抗して操作つまみが本体から離脱してしまう懸念がある。すなわち、上述した従来技術は、操作つまみに加えられる外力に対して必ずしも安定した構造とはいえず、装置の耐久性の点で問題がある。
【０００８】
本発明は、上述した従来技術における実状からなされたもので、その目的は、外力による操作つまみの本体からの離脱を確実に防止することができるスイッチ装置を提供することにある。
【０００９】
【課題を解決するための手段】
上記目的を達成するために、本発明は、操作つまみと、この操作つまみと一体に設けられ、一方の側縁部に回動支点部を有する回動体と、この回動体が取り付けられる本体と、上記操作つまみの押圧操作により作動するスイッチ部と、上記回動支点部が位置する上記回動体の上記一方の側縁部の近傍に設けられ、上記回動体の上記本体からの離脱を規制する係止手段とを備えるとともに、上記回動体の他方の側縁部の近傍に、上記回動体の上記本体からの離脱を規制する別の係止手段を備えたことを特徴としている。
【００１０】
本発明にあっても、操作つまみを押圧すると、操作つまみが回動支点部を中心に回動してスイッチ部をＯＮにし、操作つまみに加えていた押圧力を除くと、スイッチ部がＯＦＦとなり、良好なスイッチ機能を確保できる。
【００１１】
また、操作つまみを本体から離脱させようとする外力が、回動支点部が位置する操作つまみの一方の側縁部付近に加えられたときには、係止手段によりその離脱、すなわち操作つまみの本体からの離脱が規制される。
【００１２】
そして特に本発明は、操作つまみを本体から離脱させようとする外力が、回動支点部から離れた操作つまみの他方の側縁部付近に加えられたときには、別の係止手段により操作つまみの離脱が規制される。
【００１３】
すなわち、外力による操作つまみの本体からの離脱を２つの係止手段によって確実に防止することができ、本体に対する操作つまみの安定した取り付け構造を実現できる。
【００１４】
また本発明は、上記発明において、上記係止手段が、上記回動体に設けられ、上記本体と係合可能な第１フック部と、上記本体に設けられ、上記操作つまみの押圧操作に伴う上記第１フック部の移動を許容させる第１貫通孔とから成り、上記別の係止手段が、上記回動体に設けられ、上記本体と係合可能な第２フック部と、上記本体に設けられ、上記操作つまみの押圧操作に伴う上記第２フック部の移動を許容させる第２貫通孔とから成ることを特徴としている。
【００１５】
このように構成した本発明は、操作つまみを本体から離脱させようとする外力が、回動支点部が位置する操作つまみの一方の側縁部付近に加えられたときには、第１フック部が本体に形成された第１貫通孔の縁部に係合することにより操作つまみの離脱が規制される。また、操作つまみを本体から離脱させようとする外力が、回動支点部から離れた操作つまみの他方の側縁部付近に加えられたときには、第２フック部が本体に形成された第２貫通孔の縁部に係合することにより操作つまみの離脱が規制される。
【００１６】
また本発明は、上記発明において、上記回動支点部が軸部から成るとともに、上記本体に上記軸部の凸形状の端部を支持する凹形状の軸受を設けたことを特徴としている。
【００１７】
また本発明は、上記発明において、上記軸部の上記凸形状の端部が球面形状から成るとともに、上記軸受の上記凹形状が円弧形状から成ることを特徴としている。
【００１８】
また本発明は、上記発明において、上記軸部を上記軸受に押圧させる手段を設けたことを特徴としている。
【００１９】
このように構成した本発明は、軸部が軸受に押圧されることにより、本体に対する操作つまみのガタの発生を抑えることができる。
【００２０】
また本発明は、上記発明において、上記押圧させる手段が、上記本体の所定の面に係合する上記第１フック部の段部と、上記軸部の上記端部との距離を、上記第１フック部の上記段部が係合する上記本体の所定の面と、上記軸受の上記円弧形状部分の底部との距離に比べて小さく設定する手段から成ることを特徴としている。
【００２１】
このように構成した本発明は、第１フック部の段部と軸部の端部間の寸法、及び第１フック部の段部が係合する本体の所定の面と、軸受の円弧形状部分の底部間の寸法を考慮して製作すればよく、部品あるいは部材点数の増加を抑えることができる。
【００２２】
【発明の実施の形態】
以下，本発明のスイッチ装置の実施形態を図に基づいて説明する。
【００２３】
図１は本発明のスイッチ装置の一実施形態を示す分解斜視図、図２は図１に示す一実施形態の縦断面図、図３は図２の要部拡大図である。
【００２４】
本実施形態は、図１，２に示すように、押圧操作される操作つまみ１と、この操作つまみ１と一体に設けられ、一方の側縁部に回動支点部例えば軸部２ｄを有する回動体２と、この回動体２が取り付けられる本体、すなわちケース３を備えている。また、操作つまみ１の押圧操作により作動するスイッチ部、例えばタクトスイッチ４ａとランプ４ｂが設けられ、ケース３に収容されるプリント回路基板４と、ケース３の下方部分を覆うカバー５と、操作つまみ１の周囲に配置されるパネル７とを備えている。
【００２５】
操作つまみ１の側部には、係止穴１ａを設けてあり、回動体２の側部には上述の係止穴１ａ内に嵌入される係止突起２ａを設けてある。すなわち、回動体２の係止突起２ａが操作つまみ１の係止穴１ａ内に嵌め込まれることにより操作つまみ１と回動体２とが一体化される。
【００２６】
回動体２の回動支点部を形成する軸部２ｄの端部は、例えば球面形状から成る凸形状に形成してある。この回動体２の軸部２ｄを支持する軸受３ｄは、例えば円弧形状から成る凹形状に形成してあり、ケース３に設けてある。
【００２７】
また、図２に示すように、回動体２の裏面に設けた凸部２ｅに一端が当接し、他端が前述したプリント回路基板４に設けたタクトスイッチ４ａに当接し、貫通孔３ａ内に摺動自在に挿入されるスライドピン６を備えている。
【００２８】
そして、本実施形態は、回動支点部を構成する軸部２ｄが位置する回動体２の一方の側縁部の近傍に設けられ、回動体２のケース３からの離脱を規制する係止手段と、回動体２の他方の側縁部の近傍に設けられ、回動体２のケース３からの離脱を規制する別の係止手段とを備えている。
【００２９】
上述した回動体２の一方の側縁部に設けられる係止手段は、回動体２に設けられケース３と係合可能な第１フック部２ｂと、ケース３に設けられ操作つまみ１の押圧操作に伴う第１フック部２ｂの移動を許容させる第１貫通孔３ｂとから成っている。第１フック部２ｂは図１に示すように、例えば１本だけ設けてある。
【００３０】
上述した回動体２の他方の側縁部に設けられる別の係止手段は、回動体２に設けられケース３と係合可能な第２フック部２ｃと、ケース３に設けられ操作つまみ１の押圧操作に伴う第２フック部２ｃの移動を許容させる第２貫通孔３ｃとから成っている。例えば第２フック部２ｃは２本設けてあり、これらに対応させて第２貫通孔３ｃも２つ設けてある。
【００３１】
また本実施形態は、回動体２の軸部２ｄを軸受３ｄに押圧させる手段を備えている。この押圧させる手段は、図３に示すように、ケース３の所定の面３ｅに係合する第１フック部２ｂの段部２ｂ１と、軸部２ｄの端部２ｄ１との距離Ｓ１を、第１フック部２ｂの段部２ｂ１が係合するケース３の所定の面３ｅと、軸受３ｄの円弧形状部分の底部３ｄ１との距離Ｓ２に比べて小さく設定する手段から成っている。例えば、Ｓ１は９．８ｍｍに設定してあり、Ｓ２は１０ｍｍに設定してある。
【００３２】
このように構成した本実施形態では、図２に示す状態から操作つまみ１を押圧すると、回動体２が軸部２ｄを中心として同図２において反時計回りに回動する。これにより、回動体２の凸部２ｅがスライドピン６を押し下げ、このスライドピン６の移動によってタクトスイッチ４ａがＯＮとなる。また、操作つまみ１の押圧力を解除すると、タクトスイッチ４ａの復帰力によりスライドピン６が押し上げられる。このスライドピン６の動作により、タクトスイッチ４ａがＯＦＦとなるとともに、回動体２及び操作つまみ１が元の待機位置に復帰する。このような動作により良好なスイッチ機能を確保できる。
【００３３】
この間、回動体２の回動に伴って、係止手段を構成する第１フック部２ｂ、及び別の係止手段を構成する第２フック部２ｃのそれぞれが、ケース３の第１貫通孔３ｂ、第２貫通孔３ｃ内を上下方向に移動する。
【００３４】
また、ランプ４ｂの点灯により操作つまみ１が照光される。
【００３５】
そして特に、本実施形態では、操作つまみ１をケース３から離脱させようとする外力が、図２の矢印８に示すように、回動支点部を構成する軸部２ｄが位置する操作つまみ１の一方の側縁部付近に加えられたときには、第１フック部２ｂが第１貫通孔３ｂの縁部に係合することにより操作つまみ１の離脱が規制される。
【００３６】
また、操作つまみ１をケース３から離脱させようとする外力が、図２の矢印９に示すように、操作つまみ１の他方の側縁部付近に加えられたときには、第２フック部２ｃが第２貫通孔３ｃの縁部に係合することにより操作つまみ１の離脱が規制される。
【００３７】
このように、外力による操作つまみ１のケース３からの離脱を、第１フック部２ｂと第１貫通孔３ｂとから成る係止手段と、第２フック部２ｃと第２貫通孔３ｃとから成る別の係止手段によって確実に防止することができる。すなわち、ケース３に対する操作つまみ１の安定した取り付け構造を実現でき、耐久性を向上させることができる。
【００３８】
また本実施形態は、図３に示す距離Ｓ１，Ｓ２を上述のように設定し、軸部２ｄを軸受３ｄに押圧させた構成にしてあることにより、操作つまみ１のガタの発生を抑えることができる。これによって、操作つまみ１を操作する際に良好な操作性を確保できる。
【００３９】
さらに上述のように、軸部２ｄを軸受３ｄに押圧させるためには、距離Ｓ１すなわち第１フック部２ｂの段部２ｂ１と軸部２ｄの端部２ｄ１間の寸法、及び距離Ｓ２すなわち第１フック部２ｂの段部２ｂ１が係合するケース３の所定の面３ｅと、軸受３ｄの円弧形状部分の底部３ｄ１間の寸法を考慮して製作すればよい。これにより、部品あるいは部材点数の増加を抑えることができ、製作費を安くすることに貢献する。
【００４０】
【発明の効果】
以上のように本発明は、回動体の他方の側縁部の近傍に、回動体の本体からの離脱を規制する別の係止手段を備えたことから、外力による操作つまみの本体からの離脱を確実に防止でき、本体に対する操作つまみの安定した取り付け構造を実現できる。これにより、従来に比べて耐久性を向上させることができる。
【図面の簡単な説明】
【図１】本発明のスイッチ装置の一実施形態を示す分解斜視図である。
【図２】図１に示す一実施形態の縦断面図である。
【図３】図２の要部拡大図である。
【符号の説明】
１      操作つまみ
２      回動体
２ｂ    第１フック部（係止手段）
２ｂ１  段部
２ｃ    第２フック部（別の係止手段）
２ｄ    軸部（回動支点部）
２ｄ１  端部
３      ケース（本体）
３ｂ    第１貫通孔（係止手段）
３ｃ    第２貫通孔（別の係止手段）
３ｄ    軸受
３ｄ１  底部
３ｅ    所定の面
４ａ    タクトスイッチ（スイッチ部）
６      スライドピン
【図１】
2004221011.tif 000003
【図２】
2004221011.tif 000004
【図３】
2004221011.tif 000005